(57)【要約】【課題】遠心ローター上の容器内に、外部から供給される液体を過不足なく且つ異種の液体の混入による汚染の問題を生じることもなく、適正に供給できる多段式液分配器を提供すること。【解決手段】この多段式液分配器ＤＴは、上下方向に設けた液注入パイプＰ１、Ｐ２…の挿入孔Ｈと、挿入孔Ｈの上下に多段に周設した液注入部Ｄ１、Ｄ２…とから構成されており、上記液注入部Ｄ１、Ｄ２…は挿入孔Ｈから外方に向かい斜降させて連通連設した斜降空間部２と、各斜降空間部２の周壁１ｃに設けた液注出口１ｄ１、１ｄ２…とから構成されていて、先端を斜降屈曲した液注入パイプＰ１、Ｐ２…の先端屈曲部を、上記液注入部Ｄ１、Ｄ２…の斜降空間部２の斜降角度に適応させて挿入できるように構成されている。【選択図】　　　　図６
2004130182.tif 000002
【特許請求の範囲】
【請求項１】
遠心ローター上の中央部に該遠心ローターと同回転するように配置された多段式液分配器であって、中央部に設けた上下方向の液注入パイプの挿入孔と、該挿入孔の上下にわたって多段に周設した複数の液注入部とから構成されており、上記各液注入部は上記挿入孔から外方に向かい斜降させて連通連設した斜降空間部と、該各斜降空間部の周壁の１個所にそれぞれ設けた液注出口とから構成されていて、先端を斜降屈曲した液注入パイプの該先端屈曲部を、上記液注入部の斜降空間部の斜降角度に適応させて挿入できるように構成したことを特徴とする遠心ローター上の容器内に液体を供給するための多段式液分配器。
【請求項２】
底面に貫通孔を備えると共に、外周に周壁を備えた複数の皿状の部材を伏皿状に積み重ねて、その各貫通孔により液注入パイプの挿入孔を構成すると共に、各貫通孔の外側部分の各皿状の部材により各液注入部を構成した請求項１に記載の遠心ローター上の容器内に液体を供給するための多段式液分配器。
【請求項３】
液注入パイプの挿入孔と各液注入部とを一体に構成した請求項１に記載の遠心ローター上の容器内に液体を供給するための多段式液分配器。
【発明の詳細な説明】
【０００１】
【発明の属する技術分野】
本発明は、例えば、液体成分の分離、精製、分析などを遠心ローターを用いて実施する際に、遠心ローター上に配置された所要の容器内に液体を供給するために、遠心ローター上の中央部に該遠心ローターと同回転するように配置された多段式液分配器の改良に関する。
【０００２】
【従来の技術】
従来、この種の液分配器ＤＴは、図７に示すように、モーターＭにより回転する遠心ローターＲの中央部に複数段にわたってリング状の液注入部（室）Ｄ１、Ｄ２…を水平に積み重ねて構成されている。
【０００３】
そして、その中央部の挿入孔Ｈに、外部に設けた液注入ポンプＰＵ１、ＰＵ２…の各液注入パイプＰ１、Ｐ２…を結束部材Ｕにより束ねて挿入し、それらの各先端部を、上記液分配器ＤＴの水平な各液注入部Ｄ１、Ｄ２…に水平に各別に挿入し、各液注入ポンプＰＵ１、ＰＵ２…から各液注入パイプＰ１、Ｐ２…を経て供給される液体を、水平な各液注入部Ｄ１、Ｄ２…に水平に注入し、注入された液体を遠心ローターＲの遠心作用により、液分配器ＤＴの各液注入部Ｄ１、Ｄ２…の各１個所に設けた液注出口Ｅ１、Ｅ２…から注出し、パイプＤＰ１、ＤＰ２…を経て、遠心ローターＲ上に設けた所要の容器Ａ、Ｂ…内に供給している（例えば、特許文献１〜５参照。）。
【０００４】
【特許文献１】
特公昭５７−１２４２０号公報（第２頁、第１図）
【特許文献２】
特公昭５７−２５２６１号公報（第２頁、第１図）
【特許文献３】
特開平７−２６０７７４号公報（第４頁、図７）
【特許文献４】
特開２０００−４６８４５号公報（第３頁、図１）
【特許文献５】
実公平８−１０３７３号公報（第２頁、図１）
【０００５】
上記のように構成された従来の多段式液分配器ＤＴの場合、その各液注入部Ｄ１、Ｄ２…内に各液注パイプＰ１、Ｐ２…から注入された液体は、高速で回転する液分配器ＤＴの各液注入部Ｄ１、Ｄ２…の周壁の内側面に衝突して１部が跳返り、その跳返り液体は液注入パイプＰ１、Ｐ２…の先端部付近から液分配器ＤＴの中央部まで及ぶ場合が往々にしてある。
【０００６】
また、同時に外部の各液注入ポンプＰＵ１、ＰＵ２…から液体の供給を止めた場合、各液注入パイプＰ１、Ｐ２…の先端部から液体が垂れこぼれて、遠心ローターＲの揺れ、振動により、図８に略示するように、その垂れこぼれ液体Ｌは各液注入パイプＰ１、Ｐ２…のいづれかの外側面を伝って流れ、液分配器ＤＴの中央部付近で滴下する場合がある。特に、図７及び図８に示すように、各液注入パイプＰ１、Ｐ２…が結束部材Ｕにより束ねられている場合、垂れこぼれ液体Ｌは該結束部材Ｕの外側に付着し、さらには、他の液注入パイプを伝って目的外の容器に流入する事態を生じる。
【０００７】
【発明が解決しようとする課題】
上記従来の液分配器ＤＴにより発生する液体の跳返り及び液注入パイプからの垂れこぼれは、各液注入ポンプＰＵ１、ＰＵ２…が同種の液体または異なった液体を遠心ローターＲに配置された所要の容器Ａ、Ｂ…に、各別に必要量を必要時に供給する場合に、重大な支障を生じる。
【０００８】
即ち、同種の液体を各液注入ポンプＰＵ１、ＰＵ２…から、それぞれ決められた設定液量を、遠心ローターＲ上の所定の容器Ａ、Ｂ…へ供給するために、液分配器ＤＴの所定の液注入部Ｄ１、Ｄ２…に注入したのにも拘らず、液体の跳返りや垂れこぼれ等を生じた場合は、それぞれの容器Ａ、Ｂ…に設定液量が注入されず、液量の過不足を生じる。例えば、液体が稀釈液の場合は、それぞれに当初の計算上の稀釈濃度とは異なる不正確な間違った稀釈濃度になる問題がある。
【０００９】
また、一方、異種の複数の液体を、それぞれ液注入ポンプＰＵ１、ＰＵ２…から各設定液量を遠心ローターＲ上の容器Ａ、Ｂ…に供給するために、液分配器ＤＴの所定の液注入部Ｄ１、Ｄ２…に注入したのにも拘らず、液体の跳返りや垂れこぼれ等を生じた場合は、上記の問題に加えて、異種の液体の混合、混入（汚染）といった重大な支障を生じる問題がある。
【００１０】
本発明は上記問題を解決することを課題として開発されたもので、液体成分の分離、精製、分析などを遠心ローターを用いて実施する際に、遠心ローター上に配置された所要の容器内に外部から供給される液体を、上記の跳返りや垂れこぼれによる障害を防止して、過不足なく且つ異種の複数の液体の混合、混入による汚染の問題を生じることもなく、上記の容器に適正に供給できる遠心ローター上の容器内に液体を供給するための多段式液分配器を提供することを目的とする。
【００１１】
【課題を解決するための手段】
本発明は、上記の課題を解決し、その目的を達成する手段として、遠心ローター上の中央部に該遠心ローターと同回転するように配置された多段式液分配器であって、中央部に設けた上下方向の液注入パイプの挿入孔と、該挿入孔の上下にわたって多段に周設した複数の液注入部とから構成されており、上記各液注入部は上記挿入孔から外方に向かい斜降させて連通連設した斜降空間部と、該各斜降空間部の周壁の１個所にそれぞれ設けた液注出口とから構成されていて、先端を斜降屈曲した液注入パイプの該先端屈曲部を、上記液注入部の斜降空間部の斜降角度に適応させて挿入できるように構成したことを特徴とする遠心ローター上の容器内に液体を供給するための多段式液分配器を提供するものである。
【００１２】
また、本発明は、上記のように構成した多段式液分配器において、底面に貫通孔を備えると共に、外周に周壁を備えた複数の皿状の部材を伏皿状に積み重ねて、その各貫通孔により液注入パイプの挿入孔を構成すると共に、各貫通孔の外側部分の各皿状の部材により各液注入部を構成した遠心ローター上の容器内に液体を供給するための多段式液分配器、及び液注入パイプの挿入孔と各液注入部とを一体に構成した遠心ローター上の容器内に液体を供給するための多段式液分配器をそれぞれ提供するものである。
【００１３】
【発明の実施の形態】
以下、本発明の実施の形態を添付図面の図１〜図４に基づいて説明すれば、底面に貫通孔１ａを設けた皿状の部材を伏皿状に用いて、該貫通孔１ａの周囲に、斜降する上壁１ｂを設けると共に、この斜降上壁１ｂの外周に形成した周壁１ｃの１個所に液注出口１ｄを設けて本発明に係る多段式液分配器ＤＴの各液注入部Ｄ１、Ｄ２…の構成要素である基体Ｄを形成する。
【００１４】
上記のように構成した伏皿状の基体Ｄの複数個を用いて、図１に略示するようにケースＣ内に多段に積重ねて、それぞれ上段に位置する基体Ｄと下段に位置する基体Ｄとの各斜降上壁１ｂ、１ｂとの間に各斜降空間部２を形成すると共に、該各斜降空間部２の周壁１ｃに液注出口１ｄ１、１ｄ２…を備えた液注入部Ｄ１、Ｄ２…を形成して多段式液分配器ＤＴを構成したものである。
【００１５】
したがって、この多段式液分配器（以下、液分配器と略称する）ＤＴの各液注入部Ｄ１、Ｄ２…の各斜降空間部２…は、積み重ねた各基体Ｄの各貫通孔１ａ…により形成された、液注入パイプＰ１、Ｐ２…を挿入する上下方向の挿入孔Ｈと連通連設されており、図１において、ＥはケースＣ内の液分配器ＤＴの上部に内装され、ベヤリングＢＲを介して液分配器ＤＴと共に回転するベヤリング保持部材を示している。
【００１６】
次に、上記のように構成した液分配器ＤＴの使用状態を作用、効果と共に説明する。
図６に示すように、遠心ローターＲの中央部に、該ローターＲと同回転するように液分配器ＤＴを配設した後、その中央部の挿入孔Ｈ内に、外部に設けた各液注入ポンプＰＵ１、ＰＵ２…の各液注入パイプＰ１、Ｐ２…を結束部材Ｕにより束ねて挿入し、該結束部材Ｕを、例えば図面に向って左側に移動することにより、先端を斜降屈曲した上記各液注入パイプＰ１、Ｐ２…の該先端屈曲部を、上記液分配器ＤＴの所定の各液注入部Ｄ１、Ｄ２…の各斜降空間部２…の斜降角度に適応させて各別に挿入する。
【００１７】
次に、遠心ローターＲをモーターＭにより回転させた状態で所定の液注入ポンプＰＵ１、ＰＵ２…から所定の液注入パイプＰ１、Ｐ２…に液体を供給して所定の液注入部Ｄ１、Ｄ２…に注入すると、注入された液体は遠心ローターＲの遠心作用により、該注入部Ｄ１、Ｄ２…の各１個所に設けた液注出口１ｄ１、１ｄ２…から注出し、パイプＤＰ１、ＤＰ２…を経て、遠心ローターＲ上に設けた所定の容器Ａ、Ｂ…内に供給するのであるが、この実施の形態に係る液分配器ＤＴによれば、既述した液分配器と異なり、次のような優れた作用、効果がある。
【００１８】
液分配器ＤＴの液注入部、例えば、液注入部Ｄ１、Ｄ２内に注入された液体は、遠心ローターＲと共に高速で回転する液分配器ＤＴの液注入部Ｄ１、Ｄ２の周壁の内側面に衝突して１部が跳返るが、その跳返り液は、前述した斜降空間部２の斜降上壁１ｂ、１ｂの内面により効果的に遮られて、液分配器ＤＴの液注入部Ｄ１、Ｄ２の中央部側に跳返るのを防止できる。
【００１９】
また、跳返り液が液注入パイプＰ１、Ｐ２の先端部分に付着しても、液注入パイプＰ１、Ｐ２の先端は、斜降空間部２の斜降角度に適応して斜降屈曲させてあるので、付着した跳返り液は、それ自体の重力により液注入部Ｄ１、Ｄ２内に滴下するので支障はなく、また、既述した従来の液分配器において見られたような垂れこぼれによる支障を生じることもない。
【００２０】
上記のように、本発明の実施の形態に係る液分配器ＤＴによれば、遠心ローターＲ上の容器Ａ、Ｂ内に液体を供給する際に、既述した従来の液分配器の問題点を確実に解消でき、次に述べる多大な効果を達成できるものである。
【００２１】
以上、本発明の主要な実施の形態について説明したが、本発明は上記の実施の形態に限定されるものではなく、例えば、液注入パイプＰ１、Ｐ２…の挿入孔Ｈと各液注部Ｄ１、Ｄ２…を一体に形成して液分配器ＤＴを構成してもよいものであって、要するに発明の目的を達成でき且つ発明の要旨を逸脱しない範囲内での設計的変更は可能である。
【００２２】
【発明の効果】
本発明は、遠心ローター上の中央部に該遠心ローターと同回転するように配置された多段式液分配器であって、中央部に設けた上下方向の液注入パイプの挿入孔と、該挿入孔の上下にわたって多段に周設した複数の液注入部とから構成されており、上記各液注入部は上記挿入孔から外方に向かい斜降させて連通連設した斜降空間部と、該各斜降空間部の周壁の１個所にそれぞれ設けた液注出口とから構成されていて、先端を斜降屈曲した液注入パイプの該先端屈曲部を、上記液注入部の斜降空間部の斜降角度に適応させて挿入できるように構成したことを特徴とする遠心ローター上の容器内に液体を供給するための多段式液分配器に係るものであって、上記のようにして使用するものであるから、次の優れた効果を奏する。
【００２３】
上述した理由により、液分配器の液注入部に注入された液体が、たとえ跳返ったり、垂れこぼれたりしても他に悪影響を及ぼすことなく、目的の容器に供給できるので、同種の液体をローター上の所定容器に供給する場合は、予め設定された液量を過不足なく正確に供給でき、例えば、液体が稀釈液の場合は、それぞれに当初の計算上の稀釈濃度とは異なる不正確な間違った稀釈濃度になるといった重大な支障を生じるのを確実に防止できる。
【００２４】
また、異種の複数の液体をローター上の所定の容器に供給する場合は、上記の過不足のない正確な液量を供給できる効果に加えて、異種の液体の混入といった重大な支障を生じるのを確実に防止できる。
【図面の簡単な説明】
【図１】本発明の実施の形態の一例を示す縦断正面図である。
【図２】多段式液分配器を構成する基体の斜視図である。
【図３】図２の平面図である。
【図４】図３のＡ−Ａ線に沿う断面図である。
【図５】多段式液分配器の上方に液注入パイプを配した状態を示す１部省略縦断正面図である。
【図６】本発明の多段式液分配器の使用状態を示す１部省略縦断正面図である。
【図７】従来の多段式液分配器の使用状態を示す１部省略縦断正面図である。
【図８】図７の１部の拡大縦断面図である。
【符号の説明】
ＤＴ　多段式液分配器
Ｄ　　基体
Ｄ１、Ｄ２…液注入部
１ａ　貫通孔
１ｂ　斜降上壁
１ｃ　周壁
１ｄ　液注出口
Ｃ　　ケース
２　　斜降空間部
Ｈ　　挿入孔
ＢＲ　ベヤリング
Ｅ　　ベヤリング保持部材
ＰＵ１、ＰＵ２…液注入ポンプ
Ｐ１、Ｐ２…液注入パイプ
Ｕ　　液注入パイプの結束部材
ＤＰ１、ＤＰ２…パイプ
Ｒ　　遠心ローター
Ｍ　　モーター
【図１】
2004130182.tif 000003
【図２】
2004130182.tif 000004
【図３】
2004130182.tif 000005
【図４】
2004130182.tif 000006
【図５】
2004130182.tif 000007
【図６】
2004130182.tif 000008
【図７】
2004130182.tif 000009
【図８】
2004130182.tif 000010